(57)【要約】【課題】  運送中等に外れにくく、例えば収容量が成人１回分の服用量である健康維持・増進剤収容体を飲料水と共に提供することができる液体用容器付属容器及び容器複合体を提供することを課題とする。【解決手段】  本容器複合体は、飲料水用ペットボトル等の蓋付きの液体用容器６と液体用容器付属容器１とを備える。液体用容器付属容器は、容器本体２と、容器本体２から延設されたシート状の取付部と、を備え、取付部は、首部６１１を貫通させるための貫通孔２３を具備する係止手段を備え、該係止手段は複数の係止爪３１を有し、上記係止爪３１は、該貫通孔の周縁に沿って複数設けられており、係止爪の先端が首部の段差、及び／又は蓋６２の下端に接触することで首部に取着されていることを特徴とする。【選択図】  図１
2007076649.tif 000002
【特許請求の範囲】
【請求項１】
蓋付きの液体用容器の首部に取り付けることができる液体用容器付属容器であって、容器本体と、該容器本体から延設されたシート状の取付部と、を備え、
該取付部は、該首部を貫通させるための貫通孔を具備する係止手段を備え、該係止手段は複数の係止爪を有し、
上記係止爪は、該貫通孔の周縁に沿って複数設けられており、該係止爪の先端が該首部の段差、及び／又は該蓋の下端に接触することで該首部に取着されていることを特徴とする液体用容器付属容器。
【請求項２】
上記取付部には、少なくとも１つの上記係止爪の根本から、該取付部の端面までの間にミシン目が設けられた請求項１記載の液体用容器付属容器。
【請求項３】
上記容器本体は、収納用窪みを１以上具備する樹脂シートと、該収納用窪みを覆うアルミニウム箔と、を備えるプレス・スルー・パックシートである請求項１又は２記載の液体用容器付属容器。
【請求項４】
上記液体用容器は、飲料水用ペットボトルである請求項１乃至３のいずれか１項に記載の液体用容器付属容器。
【請求項５】
上記容器本体は、健康維持・増進剤を収容する請求項１乃至４のいずれか１項に記載の液体用容器付属容器。
【請求項６】
蓋付きの液体用容器の首部に取り付けることができる液体用容器付属容器であって、容器本体と、該容器本体から延設された取付部と、を備え、
該取付部は、該首部を貫通することとなる貫通孔を具備し、
上記液体用容器は、飲料水用ペットボトルであり、
上記容器本体は、健康維持・増進剤を収容することを特徴とする液体用容器付属容器。
【請求項７】
上記健康維持・増進剤が栄養補助食品である請求項５又は６記載の液体用容器付属容器。
【請求項８】
上記健康維持・増進剤の収容量は成人１回分の服用量である請求項５乃至７のいずれか１項に記載の液体用容器付属容器。
【請求項９】
蓋付きの液体用容器の首部に取り付けることができる液体用容器付属容器を取着するシート状の取着部材であって、該首部を貫通させるための貫通孔を具備する係止手段を備え、該係止手段は複数の係止爪を有し、
上記係止爪は、該貫通孔の周縁に沿って複数設けられており、該係止爪の先端が該首部の段差、及び／又は該蓋の下端に接触することで該首部に取着されていることを特徴とする液体用容器付属容器取着部材。
【請求項１０】
少なくとも１つの上記係止爪の根本から、液体用容器付属容器取着部材を切断するようにミシン目が設けられた請求項９記載の液体用容器付属容器取着部材。
【請求項１１】
蓋付きの液体用容器の首部に、容器本体と、該容器本体から延設され、且つ該首部を貫通することとなる貫通孔を具備する取付部と、を備える液体用容器付属容器を取着し、次いで請求項９又は１０記載の液体用容器付属容器取着部材を該首部に取着することを特徴とする液体用容器付属容器取着部材の使用方法。
【請求項１２】
液体用容器と、該液体用容器の首部に取り付けられた請求項１乃至８のいずれか１項に記載の液体用容器付属容器と、を備えることを特徴とする容器複合体。
【請求項１３】
液体用容器と、該液体用容器の首部に取り付けられた液体用容器付属容器と、該液体用容器の首部に設けられ、具備する係止爪の先端が該首部の段差、及び／又は該蓋の下端に接触することで該首部に取着されている請求項９又は１０に記載の液体用容器付属容器取着部材と、を備えることを特徴とする容器複合体。
【発明の詳細な説明】
【技術分野】
【０００１】
本発明は、飲料水用ペットボトル等の液体用容器の首部に取り付けて用いる液体用容器付属容器、液体用容器付属容器取着部材及び容器複合体に関する。更に詳しくは、本発明は、運送中等に外れにくく、例えば収容量が成人１回分の服用量である健康維持・増進剤収容体を飲料水と共に提供することができる液体用容器付属容器、取り付けた付属容器を容易に外れなくするための液体用容器付属容器取着部材、及びこれらを液体用容器に取り付けた容器複合体に関する。
【背景技術】
【０００２】
栄養補助食品、健康食品又は医薬部外品等の健康維持・増進剤は、例えば、１週間分、１０日分、１月分、又はそれ以上の分量が、プラスチック製袋又は瓶等の容器に収容された、錠剤、粉末、カプセル等の形態で提供されており、服用に際し、消費者自らが必要分を小分けし、飲料水と共に飲用することが一般的である。しかし、複数回に小分けして使用することから、長期間保存することになり、消費期限内に服用しきることができない場合も生ずる。
また、健康維持・増進剤は、店頭販売が中心であり、一般消費者は、小売店、スーパーマーケットなどで購入することが多い。更に、薬店等の専門店へ出向けば、知識のない消費者にとって、薬剤師等の専門家と相談して自己に適合した栄養補助食品等の健康維持・増進剤を購入することができるという利点がある。しかし、店頭販売されている時間は決まっていることが多く、深夜等に購入を希望しても購入できない場合がある。
更に、健康維持・増進剤を飲用するには通常飲料水を用いるが、この飲料水は別途入手する必要がある。そこで、健康維持・増進剤を容易に飲用するために、飲料水及び健康維持・増進剤をそれぞれ収容可能な専用容器に収容し、自動販売機等で販売することが提案されている（例えば、特許文献１参照）。
【０００３】
【特許文献１】実用新案登録第３１１０４５９号公報（第５頁、第７図）
【発明の開示】
【発明が解決しようとする課題】
【０００４】
しかし、専用容器を用いる場合は、既製の飲料水及びその飲料水容器を用いることができないため、容易に提供することが困難である。
本発明は、上記実情に鑑みてなされたものであって、運送中等に外れにくく、例えば収容量が成人１回分の服用量である健康維持・増進剤収容体を飲料水と共に提供することができる液体用容器付属容器、取り付けた付属容器を容易に外れなくするための液体用容器付属容器取着部材、及びこれらを液体用容器に取り付けた容器複合体を提供することを解決すべき課題とする。
【課題を解決するための手段】
【０００５】
本発明は、以下の通りである。
１．蓋付きの液体用容器の首部に取り付けることができる液体用容器付属容器であって、容器本体と、該容器本体から延設されたシート状の取付部と、を備え、該取付部は、該首部を貫通させるための貫通孔を具備する係止手段を備え、該係止手段は複数の係止爪を有し、上記係止爪は、該貫通孔の周縁に沿って複数設けられており、該係止爪の先端が該首部の段差、及び／又は該蓋の下端に接触することで該首部に取着されていることを特徴とする液体用容器付属容器。
２．上記取付部には、少なくとも１つの上記係止爪の根本から、該取付部の端面までの間にミシン目が設けられた上記１．記載の液体用容器付属容器。
３．上記容器本体は、収納用窪みを１以上具備する樹脂シートと、該収納用窪みを覆うアルミニウム箔と、を備えるプレス・スルー・パックシートである上記１．又は２．記載の液体用容器付属容器。
４．上記液体用容器は、飲料水用ペットボトルである上記１．乃至３．のいずれかに記載の液体用容器付属容器。
５．上記容器本体は、健康維持・増進剤を収容する上記１．乃至４．のいずれかに記載の液体用容器付属容器。
６．蓋付きの液体用容器の首部に取り付けることができる液体用容器付属容器であって、容器本体と、該容器本体から延設された取付部と、を備え、該取付部は、該首部を貫通することとなる貫通孔を具備し、上記液体用容器は、飲料水用ペットボトルであり、上記容器本体は、健康維持・増進剤を収容することを特徴とする液体用容器付属容器。
７．上記健康維持・増進剤が栄養補助食品である上記５．記載の液体用容器付属容器。
８．上記健康維持・増進剤の収容量は成人１回分の服用量である上記５．乃至７．のいずれかに記載の液体用容器付属容器。
９．蓋付きの液体用容器の首部に取り付けることができる液体用容器付属容器を取着するシート状の取着部材であって、該首部を貫通させるための貫通孔を具備する係止手段を備え、該係止手段は複数の係止爪を有し、上記係止爪は、該貫通孔の周縁に沿って複数設けられており、該係止爪の先端が該首部の段差、及び／又は該蓋の下端に接触することで該首部に取着されていることを特徴とする液体用容器付属容器取着部材。
１０．少なくとも１つの上記係止爪の根本から、液体用容器付属容器取着部材を切断するようにミシン目が設けられた上記９．記載の液体用容器付属容器取着部材。
１１．蓋付きの液体用容器の首部に、容器本体と、該容器本体から延設され、且つ該首部を貫通することとなる貫通孔を具備する取付部と、を備える液体用容器付属容器を取着し、次いで上記９．又は１０．記載の液体用容器付属容器取着部材を該首部に取着することを特徴とする液体用容器付属容器取着部材の使用方法。
１２．液体用容器と、該液体用容器の首部に取り付けられた上記１．乃至８．のいずれかに記載の液体用容器付属容器と、を備えることを特徴とする容器複合体。
１３．液体用容器と、該液体用容器の首部に取り付けられた液体用容器付属容器と、該液体用容器の首部に設けられ、具備する係止爪の先端が該首部の段差、及び／又は該蓋の下端に接触することで該首部に取着されている上記９．又は１０．に記載の液体用容器付属容器取着部材と、を備えることを特徴とする容器複合体。
【発明の効果】
【０００６】
本発明の液体用容器付属容器によれば、液体用容器の蓋の下部に位置する首部によって貫かれた状態で、且つ係止爪によって取り付けることができるため、液体用容器付属容器を液体用容器に取り付けたまま持ち運んだりしても、液体用容器付属容器が液体用容器から容易に外れない。
【０００７】
ミシン目を設けた場合は、液体用容器付属容器を液体用容器から外しやすくすることができる。
プレス・スルー・パックシートを用いた容器本体を用いる場合は、容器本体に収容する収容物の包装を自動化することが容易である。また収容物の収容位置を取着することができることから、収容物を含めた包装のデザインをすることができ、陳列に適する。
液体用容器が飲料水用ペットボトルである場合は、液体用容器内の飲料水を液体用容器付属容器内に収容した飲食物の飲用に用いることができる。
【０００８】
健康維持・増進剤を収容した液体用容器付属容器によれば、液体用容器及び包装体を一体として販売して、健康維持・増進剤の飲用を容易にし、利用しやすくすることができる。
健康維持・増進剤の収容量が成人１回分の服用量である場合は、出先等で１回分及び／又は１日分のみ必要となった場合、所要量を購入することができる。また、長期間保存することもないため、消費期限内に服用しきることができる。
【０００９】
本発明の液体用容器付属容器取着部材及びその使用方法によれば、液体用容器から外れやすい液体用容器付属容器を液体用容器の首部に容易に外れないように取着することができるため、液体用容器付属容器を液体用容器に取り付けたまま持ち運んだりしても、液体用容器付属容器が液体用容器から容易に外れない。
また、ミシン目を設ける場合は、液体用容器付属容器取着部材を液体用容器から外しやすくすることができる。
【００１０】
本発明の容器複合体によれば、液体用容器の蓋の下部に位置する首部に液体用容器付属容器を備えるため、取り付けた状態でも液体用容器の蓋を開け閉めし、中身を取り出すことができる。また、液体用容器付属容器は、係止爪によって取着されるため、液体用容器から液体用容器付属容器が外れにくい。このため、液体用容器付属容器を液体用容器に取り付けたまま、持ち運んでも液体用容器付属容器が容易に外れないし、箱詰めして搬送するのに邪魔にならない。
【発明を実施するための最良の形態】
【００１１】
以下、図１〜１０を例にして本発明の液体用容器付属容器及び容器複合体を詳細に説明する。
上記「液体用容器６」は、水、お茶及びジュース等の飲料水、飲み薬、栄養ドリンク剤並びに酒等の主に飲用の液体を入れることができる容器である。また、液状の調味料の他、化粧品、塗料及び薬品等の飲用以外の任意の液体用の容器であってもよい。
この液体用容器６は、例えば図１及び図２に例示するように、蓋６２の下部の径が液体用容器本体６１の胴よりも細く、任意の形状のテーパを備える「首部６１１」を有した瓶形状であればよく、通常用いられるものを用いることができる。この例として、ペットボトル、アルミニウム瓶、スチール瓶及びガラス瓶等を挙げることができる。このうち、飲料水用容器として多く使われているペットボトルが好ましい。また、例示した図１及び図２は、円柱状の容器であるがこれに限らず、３角柱、４角柱及び５角柱等の角柱状であってもよいし、楕円形状等であってもよい。
上記「段差」は、蓋をしめるためのねじ山や、図１及び図３に例示するような蓋６２の装着位置の下方につば状部分６１１１等、凹凸が形成されている部分をいう。
【００１２】
１．係止爪付液体用容器付属容器
本係止爪付液体用容器付属容器１は、例えば図１〜３に例示するように、収納部２１を有する容器本体２と、取付部３とを備える。
上記「容器本体２」は取付部３と同じ材質で形成されていてもよいし、異なる材質で構成されていてもよい。また、容器本体２の例として、図１〜３に例示するように、収納部２１である収納用窪みを１以上具備する樹脂シートと、該収納用窪みを覆うアルミニウム箔と、を備えるプレス・スルー・パックシート（以下、ＰＴＰシートと略す）を挙げることができる。このＰＴＰシートに用いる樹脂シートの材質は特に限定されず、例えば、ＰＥＴ、ＰＶＣ等を挙げることができる。更に、容器本体２の例として、図１０に例示する箱状体の収納部２１１を具備する容器本体２や、袋状体等も例示することができる。
また、容器本体２の材質は任意に選択することができ、樹脂、紙及び金属等を挙げることができる。更に、これらの複合材（例えば積層材等）でもよい。このうち、樹脂が美観と扱いやすさに優れているため好ましい。また、樹脂の種類は特に問わず、例えば、通常容器及び包装に用いられる樹脂を用いることができる。
【００１３】
上記「取付部３」は、貫通孔２３を具備する係止手段を備える。上記「貫通孔２３」は、液体用容器６の首部６１１が貫通することができる大きさ・形状であればよく、その形状は特に問わない。
上記「係止手段」は、係止爪からなる。上記「係止爪３１」は、例えば図１、２に例示するように、係止爪３１の先端を首部６１１に形成されている段差６１１１、及び／又は液体用容器６の蓋６２の下端６２１に突き当たるように接触させて、係止爪付液体用容器付属容器１が蓋６２側に移動するのを阻止して液体用容器６から外れないようにして、首部６１１に取着するための部材である。係止爪３１の先端形状は、任意に選択することができ、例えば、図１〜３に例示するように先端が鋭角の三角形状の係止爪３１を挙げることができる。また、台形状（例えば、図１０に例示する係止爪３２を参照。）、接触先の形状に合わせた弧状、並びに波状及びジグザグ状等を挙げることができる。
また、係止爪は、容器本体と同じ材質を用い、一体に形成することができる。更に、係止爪は、容器本体と異なる任意の材質を用いることができる。
【００１４】
上記「ミシン目４」は、例えば、図１〜３に例示するように、貫通孔２３の一端から取付部３の縁部まで設けて、ミシン目に沿って切り開くことで、図４に例示するように、係止爪付液体用容器付属容器１を液体用容器６から取り外しやすくするために設けられている。このミシン目４は図１〜３に例示するように、少なくとも１つの係止爪３１の根本から、取付部３の縁部にかけて設けるのが好ましい。このように設けることによって、係止爪３１をつまみとして用いることができ、ミシン目４に沿って容器本体の一部を切り開くことができる。また、ミシン目４を設ける長さを短くすることができる。
【００１５】
本係止爪付液体用容器付属容器１は、容器本体２の収納部２１内に収まる大きさの任意の物を収容することができる。この例として、健康維持・増進剤を挙げることができる。また、液体用容器付属容器は、健康維持・増進剤を収容するに限られず、栄養補給食品（エネルギーバー、チョコレート、キャラメル、カンパン等）、粉末飲料（お茶、ジュース、ココア、酒等）、おつまみ等の食品を収容することができる。また、景品、試食・試飲品、印刷物等も収容することができる。特に、液体用容器に水を収容し、且つ栄養補給食品及びカンパン等を収容した場合は、登山及び避難等の際に食品及び水の携行に適する。
【００１６】
２．健康維持・増進剤用の液体用容器付属容器
健康維持・増進剤用の体用容器付属容器８は、図５、６に例示するように、収納部２２を有する容器本体２と、取付部３０とを備える。
上記「容器本体２」は、係止爪付液体用容器付属容器１の容器本体２と同様に、取付部３０と一体に形成されていてもよいし、異なる部材から構成されていてもよい。また、容器本体２の材質は任意に選択することができる。更に、容器本体２の具体例として、ＰＴＰシートの他、箱状体及び袋状体等の収納部を備えた容器本体２を例示することができる。
また、容器本体２の収納部２２には、健康維持・増進剤５を収容することができる。
上記「取付部３０」は、貫通孔２３を備える。この貫通孔２３は、係止爪付液体用容器付属容器１の貫通孔２３と同様にすることができる。
【００１７】
３．液体用容器付属容器取着部材
上記「液体用容器付属容器取着部材７」はシート状であり、図７〜８に例示するように、液体用容器６の首部６１１を貫通することとなる貫通孔７１を具備する係止手段を備える。更に、上記「係止手段」は、係止爪３１からなる。液体用容器付属容器取着部材７の材質は、シート上に形成可能な強度を備えるＰＥＴ、ＰＰ等の樹脂、及び紙を例示することができる。
また、上記「貫通孔７１」及び上記「係止爪３１」は、それぞれ上記「１．係止爪付液体用容器付属容器」の「貫通孔２３」及び「係止爪３１」と同様とすることができる。
【００１８】
上記「健康維持・増進剤」は、栄養補助食品、健康食品又は医薬部外品等、特に、栄養補助食品の健康の維持・増進に用いられる飲用物である。この健康維持・増進剤の形状は特に限定されず、例えば、錠剤状、カプセル状又は粉末状等とすることができる。これらのうちでは、服用が容易である錠剤状又はカプセル状であることが好ましい。
【００１９】
健康維持・増進剤に含有される栄養素は特に限定されず、例えばＣａ、Ｍｇ、Ｚｎ、Ｆｅ、Ｎａ、Ｋ、Ｃｒ、Ｐ、Ｓｅ、Ｍｏ、Ｍｎ、Ｃｕ及びＩのうちの少なくとも１種のミネラル分、ビタミンＡ、ビタミンＢ群（ビタミンＢ１、ビタミンＢ２、ビタミンＢ６、ビタミン１２）、ビタミンＣ、ビタミンＤ、ビタミンＥ、ビタミンＫ、ビタミンＰ及びビタミンＱ（補酵素Ｑ１０、コエンザイムＱ１０ともいわれる。）のうちの少なくとも１種のビタミン、並びにエイコサペンタエン酸、ドコサヘキサエン酸、乳酸菌、食物繊維、α−リポ酸、コンドロイチン、ヒアルロン酸、グルコサミン酸、プロテイン、コラーゲン、Ｌ−カルミチン等が挙げられる。そして、例えば、朝は、貧血を防いでＦｅ、昼は目の疲れを癒すためビタミンＢ群というように、特に必要とされる特定の栄養素を摂取することができる。
【００２０】
異なる栄養素が含有される健康維持・増進剤が、特定の組み合わせで収容されていることが好ましい。この組み合わせは特に限定されないが、例えば、ビタミンＢ１とビタミンＣとミネラル分であるＺｎ、ビタミンＢ群とビタミンＣとミネラル分であるＺｎ、ビタミンＢ１とエイコサペンタエン酸とドコサヘキサエン酸、ビタミンＢ群とエイコサペンタエン酸とドコサヘキサエン酸、ビタミンＡとビタミンＢ群とビタミンＣ、ビタミンＢ１とビタミンＥ、ビタミンＢ群とビタミンＥ、ビタミンＢ１とビタミンＣとビタミンＥ、ビタミンＢ群とビタミンＣとビタミンＥ、ビタミンＱとヒアルロン酸、又はビタミンＱとヒアルロン酸とコラーゲン、の組み合わせ等が挙げられる。このようにすれば、それぞれの効能を有する複数の健康維持・増進剤を、朝昼夜等の最適な時期に摂取することができ、必要であればこれらを一時に摂取することもできる。
【００２１】
健康維持・増進剤は１種のみでもよく、異なる栄養素を含有する２種以上が収容されていてもよい。２種以上が収容される場合、２〜５種とすることができるが、通常、２〜３種である。また、２種以上が収容される場合、各々異なる栄養素を含有する健康維持・増進剤は、錠剤、カプセルであれば、それぞれ２〜３個、粉末であれば、それぞれ２〜３包み、収容されることになる。
尚、液体用容器付属容器には、同種の栄養素が含有される健康維持・増進剤が、錠剤、カプセルであれば２〜３個、粉末であれば２〜３包み収容されていてもよい。また、健康維持・増進剤を包装体に収納して、この包装体を液体用容器付属容器内に収容してもよい。
上記のように複数の健康維持・増進剤が収容されておれば、例えば、朝、昼、夜と各々に必要な栄養素を含有する健康維持・増進剤を服用することができる。
【００２２】
更に、各々の液体用容器付属容器に情報を記載することができる。例えば、液体用容器付属容器１の容器本体２の表面に、収容された健康維持・増進剤に関する情報を記載することができる。
また、容器本体には、情報が記載された文書を健康維持・増進剤と共に収容することもできる。特に、この文書に、収容されている健康維持・増進剤の摂取量の目安としての天然物で摂取した場合との対比（例えば、Ｚｎが柿１００個分含有されている等）、摂取時期（食事とともに又は食後等）を記載することができる。このようにすれば、対面販売で購入するときと同様の情報を得ることができ、安心して健康維持・増進剤を服用することができる。
更に、文書には、健康維持・増進に関する最新情報、豆知識等を記載することもできる。これにより、収容されている健康維持・増進剤ばかりでなく、他の健康維持・増進剤も含めて、より幅広く健康維持・増進及び健康維持・増進剤に関する知識を提供することができるとともに、他の健康維持・増進剤の宣伝広告をすることもできる。
【００２３】
４．容器複合体
係止爪付液体用容器付属容器、健康維持・増進剤用の液体用容器付属容器及び液体用容器付属容器取着部材を用いた容器複合体を構成することができる。
係止爪付液体用容器付属容器を用いた容器複合体は、例えば図１、２に例示するように、液体用容器６と、液体用容器６の首部６１１に取り付けられた係止爪付液体用容器付属容器１と、を備える。
健康維持・増進剤用の液体用容器付属容器を用いた容器複合体は、図５、６に例示するように、液体用容器６と、液体用容器６の首部６１１に取り付けられた液体用容器付属容器８と、を備える。
液体用容器付属容器取着部材を用いた容器複合体は、例えば図７〜８に例示するように、液体用容器６と、液体用容器６の首部６１１に設けられた液体用容器付属容器９及び液体用容器付属容器取着部材７と、を備える。
上記「液体用容器付属容器９」は、景品等を液体用容器６に添付するために用いられ、液体用容器６の首部６１１に設けるための貫通孔９１を具備する容器であればよく、袋状体及び箱状体等の収納部を備えたものであれば、その種類を特に問わない。また、上記「２．健康維持・増進剤用の液体用容器付属容器」に示す液体用容器付属容器８であってもよい。
【実施例１】
【００２４】
以下、実施例により本発明の液体用容器付属容器、液体用容器付属容器取着部材及び容器複合体を具体的に説明する。
本実施例１は、図１、２に示すように、５００ｍＬのお茶等の飲料水を収容した飲料水用ペットボトルである液体用容器６と、液体用容器６に取り付けて用いる係止爪付液体用容器付属容器１と、を備える容器複合体である。
係止爪付液体用容器付属容器１は、図１〜３に示すようにＰＴＰシートであり、健康維持・増進剤５を格納する複数の収納部２１を備える容器本体２と、係止手段を具備する取付部３とを備える。収容されている健康維持・増進剤５は、成人１回分の服用量に相当するカプセル及び錠剤等からなる。
取付部３は、容器本体２を延設するように設けられたＰＴＰシートの一部である。また、係止手段は係止爪３１からなり、貫通孔２３を具備する。係止爪３１は、その先端が貫通孔２３の内面側に向かって設けられている。
【００２５】
係止爪３１は三角形片であり、円状に８片連なっている。これら係止爪３１の先端が集まる部分を貫通することで貫通孔７１が形成される。更に、各係止爪３を配列すると、蓋６２を貫通させたときに形成される貫通孔２３より径が小さな貫通孔２３０が形成されるため、蓋６２を貫通させるには、各係止爪３を押し曲げながら行う必要がある。このため、係止爪３の先端は、押し曲げられた係止爪３の復元力によって首部６１１に押しつけられる。
また、取付部３は、係止爪３１の１つの根本の両側から取付部３の端部にかけて略平行の２本のミシン目４が設けられており、その係止爪３をつまんで外側に力をかけることで、図４に示すようにミシン目４に沿って切り開くことができる。これによって、取付部３は、貫通孔２３を開環し、液体用容器６の首部６１１から係止爪付液体用容器付属容器１を容易に取り外すことができる。
【００２６】
また、係止爪付液体用容器付属容器１は図１、２に示すように、貫通孔２３に液体用容器６の蓋６２及び首部６１１を差し込むことで、液体用容器６に取り付けることができる。
このとき、係止爪３が図２に示すように、その先端を該蓋６２の下端６２１及び／又は首部６１１によって形成する段差６１１１に接触することで、係止爪付液体用容器付属容器１を首部６１１から容易に外れないように取着することができる。また、係止爪付液体用容器付属容器１から液体用容器６を引き抜くときは、係止爪３が下端６２１及び段差６１１１につっかえるため大きな力が必要となり、運送中の振動及び衝撃によって容易に外れることがない。
また、健康維持・増進剤５を取り出すなどの目的で、係止爪付液体用容器付属容器１を液体用容器６から取り外すときは、取り付けたときとは逆方向に大きく力をかけることによって引き抜くことができる。更に、図４に示すように、ミシン目４につながる係止爪３をつまんで、ミシン目４にそって切り開き、首部６１１を切り開いた部分を通過させて取り除くことができる。
【実施例２】
【００２７】
本実施例２は、図５、６に示すように、５００ｍＬのお茶等の飲料水を収容した飲料水用ペットボトルである液体用容器６と、液体用容器６に取り付けて用いる健康維持・増進剤用の液体用容器付属容器８と、を備える容器複合体である。
健康維持・増進剤用の液体用容器付属容器８は、図５、６に示すようにＰＰ製の袋であり、健康維持・増進剤５を格納する収納部２２を備える容器本体２と、貫通孔２３を具備する取付部３０とを備える。収容されている健康維持・増進剤５は、成人１回分の服用量に相当するカプセル及び錠剤等からなる。また、貫通孔２３は、蓋６２を無理に貫通させることができる程度の大きさである。
【００２８】
本健康維持・増進剤用の液体用容器付属容器８は図５、６に示すように、貫通孔２３に液体用容器６の蓋６２及び首部６１１を差し込むことで、液体用容器６に取り付けることができる。
また、健康維持・増進剤５を取り出すなどの目的で、健康維持・増進剤用の液体用容器付属容器８を液体用容器６から取り外すときは、取り付けたときとは逆方向に大きく力をかけることによって引き抜くことができる。
【実施例３】
【００２９】
本実施例３は、図７〜９に示すように、５００ｍＬのお茶等の飲料水を収容した飲料水用ペットボトルである液体用容器６と、液体用容器６の首部６１１に取り付けて用いる液体用容器付属容器９と、液体用容器６の首部６１１に取り付けて用いる液体用容器付属容器取着部材７を備える容器複合体である。
液体用容器付属容器９は、図７、８に示すように、樹脂製の袋に液体用容器６の蓋部６２が貫通する大きさの貫通孔９１を設けたものである。また、液体用容器付属容器９内には、栄養補助食品等の健康維持・増進剤５が収容されている。健康維持・増進剤５は、成人１回分の服用量が収容されている。
【００３０】
液体用容器付属容器取着部材７は、図７〜９に示すようにＰＥＴ等の樹脂製シートであり、係止手段を備える。この係止手段は、係止爪３１からなり、貫通孔７１を具備する。
係止爪３１は三角形片であり、円状に８片連なっている。これら係止爪３１の先端が集まる部分を貫通することで貫通孔７１が形成される。
また、係止爪３１の１つの根本の両側から取付部の端部にかけて略平行の２本のミシン目４が設けられており、その係止爪３１をつまんで外側に力をかけることで、ミシン目４に沿って切り開くことができる。これによって、液体用容器付属容器取着部材７は、貫通孔７１を開環し、液体用容器６から容易に取り外すことができる。
【００３１】
また、液体用容器付属容器取着部材７は図７、８に示すように、液体用容器６の蓋６２及び首部６１１に液体用容器付属容器９を差し込んだ後、貫通孔７１に液体用容器６の蓋６２及び首部６１１を差し込み、液体用容器６に取り付けることができる。
このとき、係止爪３１が図７、８に示すように、その先端を該蓋６２の下端６２１及び／又は首部６１１によって形成する段差６１１１に接触することで、液体用容器付属容器１を首部６１１から容易に外れないように取着することができる。また、液体用容器６から液体用容器付属容器取着部材７を引き抜くときは、係止爪３１が下端６２１及び段差６１１１につっかえるため大きな力が必要となり、運送中の振動及び衝撃によって容易に外れることがない。
また、液体用容器付属容器９を液体用容器６から取り出すなどの目的で、液体用容器付属容器取着部材７を液体用容器６から取り外すときは、取り付けたときとは逆方向に大きく力をかけて引き抜くことができる。更に、ミシン目４につながる係止爪３１をつまんで、ミシン目４に沿って切り開くことができる。これによって、液体用容器付属容器取着部材７は、貫通孔７１を開環し、液体用容器６から容易に取り外すことができる。
【図面の簡単な説明】
【００３２】
【図１】健康維持・増進剤を入れた係止爪付液体用容器付属容器を液体用容器であるペットボトルに取り付けた容器複合体を説明するための部分斜視図である。
【図２】健康維持・増進剤を入れた係止爪付液体用容器付属容器を液体用容器であるペットボトルに取り付けた容器複合体を説明するための模式断面図である。
【図３】健康維持・増進剤を入れた液体用容器付属容器の構成を説明するための模式平面図である。
【図４】ミシン目にそって取付部の一部を切り開き、係止爪付液体用容器付属容器を液体用容器から取り外した状態を説明するための模式斜視図である。
【図５】健康維持・増進剤を入れた健康維持・増進剤用の液体用容器付属容器を液体用容器であるペットボトルに取り付けた容器複合体を説明するための部分斜視図である。
【図６】健康維持・増進剤を入れた健康維持・増進剤用の液体用容器付属容器を液体用容器であるペットボトルに取り付けた容器複合体を説明するための模式断面図である。
【図７】液体用容器に液体用容器付属容器及び液体用容器付属容器取着部材を取り付けた容器複合体を説明するための模式斜視図である。
【図８】液体用容器に液体用容器付属容器及び液体用容器付属容器取着部材を取り付けた容器複合体を説明するための模式断面図である。
【図９】液体用容器付属容器取着部材の構成を説明するための模式平面図である。
【図１０】箱状体の収納部と、台形状の係止爪を具備する液体用容器付属容器を説明するための部分斜視図である。
【符号の説明】
【００３３】
１；係止爪付液体用容器付属容器、８、９；液体用容器付属容器、７；液体用容器付属容器取着部材、２、２０；容器本体、２１、２１１、２２；収納部、２３、７１、９１；貫通孔、３、３０；取付部、３１、３２；係止爪、４；ミシン目、５；健康維持・増進剤、６；液体用容器（ペットボトル）、６１；液体用容器本体、６１１；首部、６２；蓋。
【図１】
2007076649.tif 000003
【図２】
2007076649.tif 000004
【図３】
2007076649.tif 000005
【図４】
2007076649.tif 000006
【図５】
2007076649.tif 000007
【図６】
2007076649.tif 000008
【図７】
2007076649.tif 000009
【図８】
2007076649.tif 000010
【図９】
2007076649.tif 000011
【図１０】
2007076649.tif 000012